(57)【特許請求の範囲】
【請求項１】
撮影レンズの物体側に装着して用いられるワイドコンバーターレンズにおいて、物体側より順に、両凸形状の第一正レンズと、一枚以上の負レンズからなる負レンズユニットと、両凸形状の第二正レンズとからなり、以下の条件を満足するワイドコンバーターレンズ。
−０．８＜（ｒ２＋ｒ１）／（ｒ２−ｒ１）＜ ０．８
ただし、
ｒ１：前記第一正レンズの物体側の面の曲率半径，
ｒ２：前記第一正レンズの像側の面の曲率半径。
【請求項２】
以下の条件を満足することを特徴とする請求項１に記載のワイドコンバーターレンズ。
４５＜ν１
ただし、
ν１：前記第一正レンズのアッベ数。
【請求項３】
前記負レンズユニットは、物体側に凸面を向けたメニスカス形状の第一負レンズのみからなることを特徴とする請求項１または２に記載のワイドコンバーターレンズ。
【請求項４】
前記負レンズユニットは、物体側より順に、物体側に凸面を向けたメニスカス形状の第一負レンズと、物体側に凸面を向けたメニスカス形状の第二負レンズとからなることを特徴とする請求項１または２に記載のワイドコンバーターレンズ。
【発明の詳細な説明】
【０００１】
【発明の属する技術分野】
本発明は、撮影レンズの物体側に取り付けて撮影系全系の焦点距離を短くし、撮影画角を広げるためのワイドコンバーターレンズに関し、特に８０°程度以上の撮影画角が得られるワイドコンバーターレンズに関する。
【０００２】
【従来の技術】
従来から、撮影レンズの物体側に取り付けて用いるワイドコンバーターレンズは数多く提案されており、なかでもワイドコンバーター装着時に８０°程度以上の撮影画角が得られるレンズとして、特開平１１−３０５１１８号公報に開示されたレンズなどが提案されている。
【０００３】
【発明が解決しようとする課題】
しかしながら、特開平１１−３０５１１８号公報に記載された実施例においては、コンバーターレンズを装着した時に歪曲収差が１０％以上発生しているので、撮影シーンによっては歪曲収差の発生が目立つ場合があった。
本発明は上記問題に鑑みてなされたものであり、８０°程度以上の撮影画角を有し、歪曲収差の発生が少ないワイドコンバーターレンズの提供を目的とする。
【０００４】
【課題を解決するための手段】
上記課題を解決するために、本発明にかかるワイドコンバーターレンズは、撮影レンズの物体側に装着して用いられ、物体側より順に、両凸形状の第一正レンズと、一枚以上の負レンズからなる負レンズユニットと、両凸形状の第二正レンズとからなり、以下の条件を満足することを特徴とする。
（１）    −０．８＜（ｒ２＋ｒ１）／（ｒ２−ｒ１）＜ ０．８
ただし、ｒ１は前記第一正レンズの物体側の面の曲率半径、ｒ２は前記第一正レンズの像側の面の曲率半径である。
【０００５】
また、本発明の好ましい態様では、以下の条件を満足することがより望ましい。
（２）    ４５＜ν１
ただし、ν１は前記第一正レンズのアッベ数である。
【０００６】
条件式（１）は前記第一正レンズの適切な形状を規定する。条件式（１）の下限値を下回ると、非点収差やコマ収差などの劣化が大きくなり好ましくない。逆に、条件式（１）の上限値を上回ると、歪曲収差の補正が困難となる。
条件式（２）は前記第一正レンズの適切なアッベ数を規定する。条件式（２）の下限値を下回ると、倍率色収差の補正が困難となる。
【０００７】
また、本発明の好ましい態様では、前記負レンズユニットを、物体側に凸面を向けたメニスカス形状の第一負レンズのみから構成することが望ましい。かかる構成では、少ないレンズ枚数で済むので、低コスト化に有利である。
【０００８】
また、本発明の好ましい態様では、前記負レンズユニットを、物体側より順に、物体側に凸面を向けたメニスカス形状の第一負レンズと、物体側に凸面を向けたメニスカス形状の第二負レンズとからなるよう構成することが望ましい。かかる構成では、コマ収差の補正に有利であり、より良好な収差補正が可能となる。
【０００９】
【発明の実施の形態】
以下、添付図面に基づいて本発明の実施の形態（数値実施例）について説明する。
図１は、本発明の実施例１にかかるワイドコンバーターレンズＡをマスターレンズＢに装着したときのレンズ断面図を示す図である。物体側から順に、両凸形状の第一正レンズＬ１と、物体側に凸面を向けたメニスカス形状の第一負レンズＬ２１と、両凸形状の第二正レンズＬ３とからなる。
図２は本発明の実施例２にかかるワイドコンバーターレンズＡをマスターレンズＢに装着したときのレンズ断面図を示す図である。物体側から順に、両凸形状の第一正レンズＬ１と、物体側に凸面を向けたメニスカス形状の第一負レンズＬ２１と、物体側に凸面を向けたメニスカス形状の第二負レンズＬ２２と、両凸形状の第二正レンズＬ３とからなる。
【００１０】
以下の表１乃至２に、実施例１乃至２の諸元値を掲げる。レンズデータにおいて、ｒｉは物体側より順に第ｉ番目のレンズ面の曲率半径、ｄｉは物体側より順に第ｉ番目と第（ｉ＋１）番目のレンズ面の光軸上の間隔、ｎｉとνｉは各々物体側より順に第ｉ番目と第（ｉ＋１）番目のレンズ面の間の媒質のｄ線（λ=587.6nm）に対する屈折率とアッベ数であり、空気の屈折率n=1.00000は省略してある。
また、以下の全ての諸元値において掲載されている焦点距離ｆ、曲率半径ｒ、面間隔ｄその他の長さの単位は、一般に「mm」が使われるが、光学系は比例拡大又は比例縮小しても同等の光学性能が得られるので、これに限られるものではない。
【００１１】
【表１】
0004674407.tif 000002
【００１２】
【表２】
0004674407.tif 000003
【００１３】
以下の表３に、上記実施例１乃至２にかかるワイドコンバーターレンズＡを装着するマスターレンズＢの諸元値を掲げる。レンズデータにおいてｒｉは物体側より順に第ｉ番目のレンズ面の曲率半径、ｄｉは物体側より順に第ｉ番目のレンズ厚及び空気間隔、ｎｉとνｉは各々物体側より順に第ｉ番目のレンズのガラスのｄ線（λ=587.6nm）に対する屈折率とアッベ数である。
また、非球面形状は以下の式で定義される。
【００１４】
【数１】
Z(y)=(y2/r)/[1+(1-K・y2/r2)1/2]+C4・y4+C6・y6+C8・y8+C10・y10
【００１５】
但し、ｙは光軸からの高さ、Ｚ（ｙ）は光軸からの高さｙにおける非球面上の点の非球面頂点の接平面からの距離、ｒは非球面頂点の曲率半径、Ｋは円錐定数、Ｃ４、Ｃ６、Ｃ８、Ｃ１０はそれぞれ非球面係数である。
なお、上記各実施例において、ワイドコンバーターレンズＡの最も像側のレンズ面とマスターレンズＢの最も物体側のレンズ面との空気間隔は０．６である。
【００１６】
【表３】
0004674407.tif 000004
0004674407.tif 000005
【００１７】
以下の表４に上記各実施例の条件式対応数値を掲げる。
【００１８】
【表４】
（実施例１）
（１） （ｒ２＋ｒ１）／（ｒ２−ｒ１）＝０．５４７
（２） ν１＝６４．１０
（実施例２）
（１） （ｒ２＋ｒ１）／（ｒ２−ｒ１）＝０．０００
（２） ν１＝６４．１４
【００１９】
図３は実施例１にかかるワイドコンバーターレンズＡをマスターレンズＢに装着したときの諸収差図、図４は実施例２にかかるワイドコンバーターレンズＡをマスターレンズＢに装着したときの諸収差図、図５はマスターレンズＢ単体での諸収差図をそれぞれ示す。各収差図において、ＦNOはＦナンバー、Yは像高、ｄはｄ線（λ=587.6nm）及びｇはｇ線（λ=435.6nm）を示している。また、非点収差図において、実線はサジタル像面を、破線はメリジオナル像面をそれぞれ示す。
各収差図から、各実施例は諸収差が良好に補正され、マスターレンズの性能を低下させることが少なく、優れた結像性能を有していることが明らかである。
【００２０】
【発明の効果】
以上説明したように本発明によれば、８０°程度以上の撮影画角を有し、歪曲収差の発生が少ないワイドコンバーターレンズを提供することができる。
【図面の簡単な説明】
【図１】実施例１にかかるワイドコンバーターレンズをマスターレンズに装着した状態を示す図。
【図２】実施例２にかかるワイドコンバーターレンズをマスターレンズに装着した状態を示す図。
【図３】実施例１にかかるワイドコンバーターレンズをマスターレンズに装着した状態での諸収差図。
【図４】実施例２にかかるワイドコンバーターレンズをマスターレンズに装着した状態での諸収差図。
【図５】マスターレンズ単体での諸収差図。
【符号の説明】
Ａ    ・・・  ワイドコンバーターレンズ
Ｂ    ・・・  マスターレンズ
Ｌ１  ・・・  第一正レンズ
Ｌ２１・・・  第一負レンズ
Ｌ２２・・・  第二負レンズ
Ｌ３  ・・・  第二正レンズ
Ｓ    ・・・  絞り
【図１】
0004674407.tif 000006
【図２】
0004674407.tif 000007
【図３】
0004674407.tif 000008
【図４】
0004674407.tif 000009
【図５】
0004674407.tif 000010